(57)【要約】【課題】  パターによるパッティング時のクラブフェースが正しい方向を向いているか否かを容易に判断することができ、使用の際に床面にも安定して置くことができ、製造も容易なゴルフパッティング練習用具を提供すること。【解決手段】  硬質素材からなる中空円筒体のゴルフパッティング練習用具１０であって、ゴルフボールの直径とほぼ等しい外径Ｄと、５０ｍｍ〜６５ｍｍの長さＬと、ゴルフボールとほぼ同じ重さとを有し、外周面に軸方向に沿った溝２、突起又は段差を備えていることを特徴とするゴルフパッティング練習用具１０である。【選択図】図１
2015047343.tif 000002
【特許請求の範囲】
【請求項１】
硬質素材からなる中空円筒体のゴルフパッティング練習用具であって、
ゴルフボールの直径とほぼ等しい外径と、
５０ｍｍ〜６５ｍｍの長さと、
ゴルフボールとほぼ同じ重さと
を有し、
外周面に軸方向に沿った溝、突起又は段差を備えていることを特徴とするゴルフパッティング練習用具。
【請求項２】
両端部の前記外周面が面取りされていることを特徴とする請求項１に記載のゴルフパッティング練習用具。
【請求項３】
前記外周面は、そのほぼ中央部に周方向に沿ったセンター表示を有していることを特徴とする請求項１又は２に記載のゴルフパッティング練習用具。
【請求項４】
前記中空円筒体を構成する硬質素材は、ＴＰＵであることを特徴とする請求項１〜３の何れか一項に記載のゴルフパッティング練習用具。
【請求項５】
前記中空円筒体は、外周面を割型で成形しつつ内周面をスライド型にて成形することで製造されるものであることを特徴とする請求項１〜４の何れか一項に記載のゴルフパッティング練習用具。
【発明の詳細な説明】
【技術分野】
【０００１】
本発明は、パタークラブによるパッティングを想定したゴルフパッティング練習用具に関するものであって、パタークラブによるパッティングの際に、パターヘッドのフェース面が正しい方向に向いているか否かを確認するためのゴルフパッティング練習用具に関するものである。
【背景技術】
【０００２】
従来、ゴルフクラブをスイングした際に、クラブヘッドのフェース面が正しい方向に向いているか否かを確認するためのゴルフ練習用具として、球状のボールに代えてゴルフクラブで打つことができる円柱状、円筒状、楕円状などに形成したゴルフ練習用具が提案されている（特許文献１〜特許文献６）。
【０００３】
ゴルフ練習用具の形状を円柱状又は円筒状とする理由は、ゴルフクラブによるスイングインパクト時におけるフェースアングルの狂いを強調した方向にゴルフ練習用具が打ち出されるため、フェースアングルの狂いを確認し易いからである。
ところが、パターによるパッティングの際のクラブヘッドの速度と、アイアンクラブ又はウッドクラブによるショットの際のクラブヘッドの速度には著しい違いがあり、それらのスイング練習を１つのゴルフ練習用具で兼用することは、スイングに合わせた練習用具として適当ではない。
【０００４】
即ち、特許文献４〜６に記載のゴルフ練習用具は、アイアンクラブ又はウッドクラブによるショットを想定したものであり、パタークラブによるパッティングを想定したゴルフスイングの練習に適したものではない。
【０００５】
特許文献１に記載のゴルフ練習用具は、ゴム又は合成樹脂などからなるゴルフ練習用具であって、円柱状のものが提案されているが、具体的な大きさが明らかではなく発明・考案の構成としての具体性に欠けるばかりか、中実のゴルフ練習用具は、比較的に重量が重いものとなり、フェースアングルの狂いを強調する方向に転がることがないため、フェースアングルの狂いを把握しにくいという問題がある。
【０００６】
特許文献２においても、断面が小判形又は瓢箪型のゴルフ練習用具を提案しているが、中実のゴルフ練習用具は、比較的に重量が重いものとなり、フェースアングルの狂いを強調する方向に転がることがないため、フェースアングルの狂いを把握しにくいという問題がある。
【０００７】
特許文献３に記載のゴルフ練習用具は、ゴム製でつぶれ易い軽量な円筒状に形成されており、主としてアイアンクラブ又はウッドクラブによるショットを想定したスイング練習用であり、パッティングの際の変形が大きく、転がり方も不安定であるなど、パターによるパッティングを想定したゴルフスイングの練習に適したものではない。
【０００８】
特にパッティングの練習をする際には、（１）実際のゴルフボールを打つ場合と同様の手応えがあることが好ましく、さらに、（２）フェースアングルの狂いが１度又は２度程度ある場合に、ゴルフ練習用具がその狂いを強調するように反映した方向に打ち出され、かつ、（３）フェースアングルが狂っている程度を把握できるように安定して転がることが重要である。
【０００９】
特許文献１〜６に記載のゴルフ練習用具は、いずれも上記（１）〜（３）の全てを満たすことができる具体性を備えた発明を開示しているものではない。
また、使用の際に転がり易い床面にも安定して置くことができ、パターによるパッティングを想定したゴルフスイングの練習に適したものは提案されていない。
【先行技術文献】
【特許文献】
【００１０】
【特許文献１】実開昭５５−５１２５９号公報
【特許文献２】実開平３−１０１９８３号公報
【特許文献３】実用新案登録第３０８２４３５号公報
【特許文献４】実開昭６２−３９７６６号公報
【特許文献５】実開昭５２−１７１３５６号公報
【特許文献６】特公昭２７−５３２３号公報
【発明の概要】
【発明が解決しようとする課題】
【００１１】
本発明が解決しようとする課題は、以下の１）〜４）に記載された事項である。
１）従来の円柱状又は円筒状に形成したゴルフ練習用具においては、パターによるパッティングの練習を想定した場合に、パターヘッドのフェース面が正しい方向に向いているか否かについて、実際のゴルフボールを打つ場合と同様の手応えで確認することができる具体的な構成が明らかでないこと。
２）従来の柔らかいゴムから製造されている円筒状のゴルフ練習用具においては、パッティングされた際の変形が大きく、またパッティング後の転がり方が不安定であり、フェースアングルの狂いを正しく確認できないこと。
３）従来の円柱状又は円筒状に形成したゴルフ練習用具において、パッティングされた際の変形を防ぐ硬さを備えたものとすると、かなり重くなり、フェースアングルの狂いを強調した方向に転がり難くなってしまうこと。
４）使用の際に転がり易い床面にも安定して置くことができ、室内でのパッティング練習を想定したゴルフスイングの練習に適したものが提案されていないこと。
【００１２】
そこで、本発明の目的は、上記の課題を解決し、パターによるパッティング練習を想定した場合に、パターヘッドのフェース面が正しい方向に向いているか否かについて、実際のゴルフボールを打つ場合と同様の手応えで確認することができるゴルフパッティング練習用具を提供することにある。
さらに、本発明の目的は、パッティング後の転がり方が安定しており、フェースアングルの狂いを容易に確認できるゴルフパッティング練習用具を提供することにある。
【００１３】
本発明の他の目的は、パターによるパッティング練習を想定した場合に、フェースアングルの狂いを強調した方向に転がることで、フェースアングルの狂いを正しく確認できるゴルフパッティング練習用具を提供することにある。
さらに、本発明の他の目的は、床面が僅かに傾いているような場合など、使用の際に転がり易い床面にも安定して置くことができ、室内でのパッティング練習に適したゴルフパッティング練習用具を提供することにある。
【００１４】
さらに、本発明の他の目的は、打ち出す方向のセッティングが容易であり、クラブフェースがスクエアな状態でのアドレスの確認も容易であり、パッティングされた後の視認性にも優れたゴルフパッティング練習用具を提供することにある。
なお、本発明は、アイアンクラブ又はウッドクラブによるショットの練習に適したゴルフ練習用具を提供することを目的とするものではない。
【課題を解決するための手段】
【００１５】
本発明は、「硬質素材からなる中空円筒体のゴルフパッティング練習用具であって、ゴルフボールの直径とほぼ等しい外径と、５０ｍｍ〜６５ｍｍの長さと、ゴルフボールとほぼ同じ重さとを有し、外周面に軸方向に沿った溝、突起又は段差を備えていることを特徴とするゴルフパッティング練習用具」を最も主要な特徴とするものである。
【００１６】
前記硬質素材からなる中空円筒体のゴルフパッティング練習用具の両端部の前記外周面は、面取りされているものであってもよい。
また、前記外周面は、そのほぼ中央部に周方向に沿ったセンター表示を有しているものであってもよい。
【００１７】
前記ゴルフパッティング練習用具の中空円筒体を構成する硬質素材は、ＴＰＵ（熱可塑性ポリウレタン）であってもよい。
また、前記ゴルフパッティング練習用具の中空円筒体は、外周面を割型で成形しつつ内周面をスライド型にて成形することで製造されるものであってもよい。
【発明の効果】
【００１８】
上記のように構成した本発明のゴルフパッティング練習用具においては、パターによるパッティング練習を想定した場合に、変形することがなく、フェースアングルの狂いを強調した方向に転がることで、フェースアングルの狂いを容易に確認することができる。
また、パターヘッドのフェース面が正しい方向に向いているか否かについて、実際のゴルフボールを打つ場合と同様の手応えで確認することができる。
【００１９】
さらに、本発明のゴルフパッティング練習用具は、外周面に軸方向に沿った溝、突起又は段差を備えているため、使用の際に転がり易い床面にも安定して置くことができ、室内でのパッティング練習に適したものとすることができる。
この軸方向に沿った溝、突起又は段差により、パターのクラブフェースを前記ゴルフパッティング練習用具の側面と平行に合わせ易くするという効果を得ることもできる。
【００２０】
また、本発明のゴルフパッティング練習用具は、両端部の前記外周面が面取りされていることから、両端部の角が芝やカーペットなどに引っかかることがなく、打ち出された方向に安定的に転がることで、フェースアングルの狂いを正しく確認することができる。
【００２１】
さらに、本発明のゴルフパッティング練習用具は、その外周面に周方向に沿ったセンター表示を有しているため、ゴルフパッティング練習用具を打ち出す方向に正しく向けて地面又は床面などの上にゴルフパッティング練習用具を置くことができる。
また、前記ゴルフパッティング練習用具の中空円筒体を構成する硬質素材を、適度な弾力性と粘着性を有するＴＰＵとすることで、スピンが生じることを防ぎ、安定した転がりを得ることができ、かつ、ゴルフボールに近い打感を得ることができる。
【００２２】
前記ゴルフパッティング練習用具の中空円筒体は、外周面を割型で成形しつつ内周面をスライド型にて成形することで製造されるため、溝、突起又は段差を備えたものであっても製造容易であるばかりか、外周面が滑らかで、接地面に隙間が生じることが無い歪みの無い正確な円筒形に成形されたゴルフパッティング練習用具を簡単に製造することができる。
【図面の簡単な説明】
【００２３】
【図１】図１は本発明を具体化したゴルフパッティング練習用具を示し、（Ａ）は全体を示す斜視図、（Ｂ）は平面を示す図、（Ｃ）は側面を示す図である。
【図２】図２は本発明を具体化したゴルフパッティング練習用具を使用するためにパターのクラブフェースをゴルフパッティング練習用具の側面に合わせてアドレスした様子を示す図である。
【図３】図３は本発明を具体化したゴルフパッティング練習用具を製造する際の型枠の様子を示す図である。
【図４】図４は本発明を具体化したゴルフパッティング練習用具をパターにて打った後の様子を示す図である。
【図５】図５は本発明を具体化した他の実施形態のゴルフパッティング練習用具の端面を示す図である。
【図６】図６は本発明を具体化したゴルフパッティング練習用具をクラブフェースがオープンの状態でパターにて打った結果を示すグラフと数値データの表を示す図である。
【図７】図７は本発明を具体化したゴルフパッティング練習用具をクラブフェースがクローズの状態でパターにて打った結果を示すグラフと数値データの表を示す図である。
【発明を実施するための形態】
【００２４】
本発明は、「硬質素材からなる中空円筒体のゴルフパッティング練習用具であって、ゴルフボールの直径とほぼ等しい外径と、５０ｍｍ〜６５ｍｍの長さと、ゴルフボールとほぼ同じ重さとを有し、外周面に軸方向に沿った溝、突起又は段差を備えていることを特徴とするゴルフパッティング練習用具」であって、以下において説明する実施形態などにより好適に具体化することができる。
【００２５】
以下、本発明のゴルフパッティング練習用具の一実施形態について説明する。
【００２６】
図１に示すように、本発明を具体化した一実施形態のゴルフパッティング練習用具１０は、硬質素材からなる中空円筒体１から構成されており、ゴルフボールの直径（４２．６７ｍｍ）とほぼ等しい外径Ｄと、５０ｍｍ〜６５ｍｍの長さＬと、ゴルフボールの重さである約４６グラムとほぼ同じ重さを有している。
即ち、本発明において、ゴルフパッティング練習用具の重さは、好適には、約３５グラム〜約５０グラムである。
【００２７】
さらに、前記ゴルフパッティング練習用具１０は、外周面の１８０度離間した位置に軸方向に沿って深さ約０．５ｍｍ、幅約１ｍｍの浅く細い溝２を備えている。
従って、この溝２を下側にして床面などに置けば、前記ゴルフパッティング練習用具１０が安定し、転がり易い床面であっても不用意に転がってしまうことを防ぐことができる。
【００２８】
また、前記ゴルフパッティング練習用具１０の中空円筒体１を構成する硬質素材としては、適度な弾力性と粘着性を有する硬質素材が特に適しており、ＴＰＵ（熱可塑性ポリウレタン）を好適に用いることができる。これによりスピンが生じることを防ぎ、安定した転がりを得ることができ、かつ、ゴルフボールに近い打感を得ることができる。
なお、このＴＰＵは、ショアＡ硬度９０前後のものが特に好適である。
ＴＰＵより硬度が大きく、粘着性に欠けて滑りやすいプラスチック、例えばアクリルでは、スピンが生じ、転がり安定性に欠ける場合がある。また、ＴＰＵより硬度が低い軟質素材では、ゴルフボールと打感が異なるものとなってしまう。
【００２９】
前記中空円筒体１のゴルフパッティング練習用具１０の両端部の前記外周面には、面取り３が施されている。さらに、前記ゴルフパッティング練習用具１０の外周面には、そのほぼ中央部に周方向に沿ったセンター表示４を有している。
また、前記ゴルフパッティング練習用具１０の外周面において、両端部に近い部分には、周方向に沿ったガイド表示５を有している。
【００３０】
これらのセンター表示４及びガイド５によって、ゴルフパッティング練習用具１０を打ち出す方向を狙い易くするとともに、パターＰのクラブフェースＦを前記ゴルフパッティング練習用具１０の側面と平行に合わせ易くするという効果を得ることができる。
なお、本発明のゴルフパッティング練習用具１０は、アイアンクラブ又はウッドクラブによってショットされることを想定してその形状、強度、耐久性及び飛ぶ方向などが計算され設計されたものではなく、アイアンクラブ又はウッドクラブによってショットできるものではない。
【００３１】
次に、上記にて説明したゴルフパッティング練習用具１０の製造方法について説明する。
まず、ゴルフパッティング練習用具１０を構成する中空円筒体１の外周面に合わせた上下方向の割型Ｍと、ゴルフパッティング練習用具１０の内周面に合わせた形状のスライド型Ｓとを用意する。  
【００３２】
そして、それらの型を締め合わせた後、樹脂を注入し、スライド型Ｓを左右方向に引き抜くようにして分離するとともに、上下方向の割型Ｍを開いて成形されたゴルフパッティング練習用具１０を構成する中空円筒体１を取り出す。
上記の方法にて中空円筒体１を製造することで、外周面が滑らかで、接地面に隙間が生じることが無い歪みの無い正確な円筒形に成形されたゴルフパッティング練習用具１０を簡単に製造することができる。
【００３３】
その後、センター表示４及びガイド表示５をスタンプ印刷する。この印刷に際しては、３６０度分の表示を印刷するのではなく、約７５度ずつ４分割して印刷することで、印刷ズレが目立つことを防ぐことができる。
これらの表示４，５が途切れた部分に、溝２が配置されるようにすることで、溝２の位置を認識し易くすることができる。
【００３４】
上記のように構成されたゴルフパッティング練習用具１０を使用する場合には、図２及び図４に示すように、センター表示４及びガイド５を利用してゴルフパッティング練習用具１０を打ち出す方向に向けて地面又は床面などの上にゴルフパッティング練習用具１０を置く。
この場合、溝２を下にすることで、ゴルフパッティング練習用具１０を転がり易い床面の上であっても安定させて置き易くすることができるとともに、上側の溝２によってパターＰのクラブフェースＦを前記ゴルフパッティング練習用具１０の側面と平行に合わせ易くすることができる。
【００３５】
なお、図５に示すように、前記溝２に代えて、ゴルフパッティング練習用具１０の外周面に軸方向に沿った突起６又は段差７を設けた場合には、ゴルフパッティング練習用具１０を地面又は床面などの上に安定させて置き易くすることができる。
図５に示す実施形態では、若干離れた位置に２個の突起６を形成し、部分的に外周面を平面状とすることで段差７を形成しているが、これらの形態に限定されるものではない。
例えば、突起の数を１個としてもよく、その長さも短いものであってもよい。突起の高さは、回転の障害とならない程度のものであればよく、髪の毛（０．２ｍｍ）程度であってもよい。
【００３６】
その後、ゴルフボールを打つように前記ゴルフパッティング練習用具１０の側面（周面）を打ってその転がる方向を確認することで、パッティングを行うパターのスイングに際してクラブフェースＦの向きが正しいか否かを確認することができる。
このとき、ゴルフパッティング練習用具１０は、図４に示すように、フェースアングルの狂いを強調する方向に打ち出されるため、フェースアングルの狂いを強調して知ることができる。
特に、フェースアングルが２度狂っていると、スコアメイクに大きく影響する１．５ｍの距離のパットが決まらなくなるため、この１度又は２度のフェースアングルの狂いを強調して知ることができることは、パッティングにおけるゴルフスイングの練習にとって極めて重要である。
【００３７】
そこで、本発明のゴルフパッティング練習用具１０がパッティングされた場合にどのような方向に打ち出されて転がるかを人工芝上にて実際に５回打って確認した結果の平均値について、図６及び図７に従って説明する。
【００３８】
なお、下記の試験結果において、パッティングするスイングの強さは、ゴルフボールが１．５ｍ転がる強さとした。
また、下記の実施例１〜４及び比較例１〜４のゴルフパッティング練習用具は、全て外径Ｄが４３ｍｍ、内径約３３ｍｍの中空円筒体１からなる熱可塑性ポリウレタン製のゴルフパッティング練習用具である。
【００３９】
使用したゴルフクラブは、ピン型のパターであり、フェースをオープン又はクローズにしてパッティングした場合に、９０ｃｍ先のラインにてフェースアングルがスクエアの場合に到達する位置からズレた長さを測定した。
【実施例１】
【００４０】
この実施例１のゴルフパッティング練習用具１０は、長さＬが６０ｍｍ、重さが４５グラムである。
その試験結果として、図６に示すように、１度フェースをオープンにしてパッティングした場合には１０．２ｃｍ、２度フェースをオープンにしてパッティングした場合には１２ｃｍのズレが認められた。
また、図７に示すように、１度フェースをクローズにしてパッティングした場合には１２．４ｃｍ、２度フェースをクローズにしてパッティングした場合には１７．６ｃｍのズレが認められた。
【実施例２】
【００４１】
この実施例２のゴルフパッティング練習用具１０は、長さＬが６５ｍｍ、重さが４９グラムである。
その試験結果として、図６に示すように、１度フェースをオープンにしてパッティングした場合には１２．６ｃｍ、２度フェースをオープンにしてパッティングした場合には１４ｃｍのズレが認められた。
また、図７に示すように、１度フェースをクローズにしてパッティングした場合には２２．８ｃｍ、２度フェースをクローズにしてパッティングした場合には２３．２ｃｍのズレが認められた。
【実施例３】
【００４２】
この実施例３のゴルフパッティング練習用具１０は、長さＬが５５ｍｍ、重さが４１グラムである。
その試験結果として、図６に示すように、１度フェースをオープンにしてパッティングした場合には１５．８ｃｍ、２度フェースをオープンにしてパッティングした場合には２２ｃｍのズレが認められた。
また、図７に示すように、１度フェースをクローズにしてパッティングした場合には２４．４ｃｍ、２度フェースをクローズにしてパッティングした場合には２９．２ｃｍのズレが認められた。
【実施例４】
【００４３】
この実施例４のゴルフパッティング練習用具１０は、長さＬが５０ｍｍ、重さが３７グラムである。
その試験結果として、図６に示すように、１度フェースをオープンにしてパッティングした場合には７．６ｃｍ、２度フェースをオープンにしてパッティングした場合には１６．６ｃｍのズレが認められた。
また、図７に示すように、１度フェースをクローズにしてパッティングした場合には１２．８ｃｍ、２度フェースをクローズにしてパッティングした場合には１４．８ｃｍのズレが認められた。
【００４４】
本発明を具体化したゴルフパッティング練習用具１０の上記実施例１〜４についての試験結果から、本発明のゴルフパッティング練習用具１０は、フェースアングルの狂いが０〜２度までの範囲において、そのフェースアングルの狂いを比例して強調する方向に打ち出されて転がるものであることが確認でき、フェースアングルの狂いを確認しながらパターによるパッティング練習をするのに非常に有効であることが確認できた。なお、フェースアングルの狂いを比例して強調する方向に打ち出されて転がるという同様の結果は、マレット型、Ｌ字型といった形状の異なるパターにおいても確認できた。
（比較例１）
【００４５】
次に、本発明のゴルフパッティング練習用具１０とは長さと重さが異なる比較例として、長さＬが４３ｍｍ、重さが３２グラムのゴルフパッティング練習用具について同様に９０ｃｍ先のラインにてフェースアングルがスクエアの場合に到達する位置からズレた長さを測定した。
【００４６】
その試験結果として、図６に示すように、１度フェースをオープンにしてパッティングした場合には１１．２ｃｍ、２度フェースをオープンにしてパッティングした場合には１６．４ｃｍのズレが認められた。
また、図７に示すように、１度フェースをクローズにしてパッティングした場合には１．４ｃｍ、２度フェースをクローズにしてパッティングした場合には７．４ｃｍのズレが認められた。
【００４７】
従って、特にフェースをクローズにした場合に、フェースアングルがスクエアの場合とのズレが少なく、フェースアングルの狂いを判定し難いものであることが確認された。さらに、長さＬが４３ｍｍというように短く、３２グラムというように軽いものは、インパクトの衝撃により、練習用具がバタついてしまい、転がる方向が安定しなくなるという不具合が生じた。
（比較例２）
【００４８】
前記比較例１と同様に、本発明のゴルフパッティング練習用具１０とは長さと重さが異なる比較例として、長さＬが７０ｍｍ、重さが５２グラムのゴルフパッティング練習用具についてパッティングした結果を測定した。
【００４９】
その試験結果として、図６に示すように、１度フェースをオープンにしてパッティングした場合には１０ｃｍ、２度フェースをオープンにしてパッティングした場合には１０ｃｍのズレが認められた。
また、図７に示すように、１度フェースをクローズにしてパッティングした場合には１４．６ｃｍ、２度フェースをクローズにしてパッティングした場合には１７．６ｃｍのズレが認められた。
従って、フェースがオープンの場合に、フェースアングルの狂いが１度であるのか２度であるのかを把握できず、フェースアングルの正確さを判断しながらパッティングの練習をするのに適当ではないものであることが確認された。
（比較例３）
【００５０】
前記比較例１と同様に、本発明のゴルフパッティング練習用具１０とは長さと重さが異なる比較例として、長さＬが８０ｍｍ、重さが６０グラムのゴルフパッティング練習用具についてパッティングした結果を測定した。
【００５１】
その試験結果として、図６に示すように、１度フェースをオープンにしてパッティングした場合には１０．４ｃｍ、２度フェースをオープンにしてパッティングした場合には９ｃｍのズレが認められた。
また、図７に示すように、１度フェースをクローズにしてパッティングした場合には１０．６ｃｍ、２度フェースをクローズにしてパッティングした場合には１５．８ｃｍのズレが認められた。
従って、フェースがオープンの場合に、フェースアングルの狂いが１度であるのか２度であるのかを誤って把握するものとなり、フェースアングルの正確さを判断しながらパッティングの練習をするのに適当ではないものであることが確認された。  
（比較例４）
【００５２】
前記比較例１と同様に、本発明のゴルフパッティング練習用具１０とは長さと重さが異なる比較例として、長さＬが９０ｍｍ、重さが６７グラムのゴルフパッティング練習用具をパッティングした場合の結果を測定した。
【００５３】
その試験結果として、図６に示すように、１度フェースをオープンにしてパッティングした場合には１３．７ｃｍ、２度フェースをオープンにしてパッティングした場合には１２．６ｃｍのズレが認められた。
また、図７に示すように、１度フェースをクローズにしてパッティングした場合には５．２ｃｍ、２度フェースをクローズにしてパッティングした場合には４．２ｃｍのズレが認められた。
【００５４】
従って、フェースがオープンの場合に、フェースアングルの狂いが１度であるのか２度であるのかを誤って把握するものとなり、フェースアングルの正確さを判断しながらパッティングの練習をするのに適当ではないものであることが確認された。
さらに、フェースをクローズにした場合に、フェースアングルの狂いが１度であるのか２度であるのかを判別できないものであるばかりか、フェースアングルがスクエアの場合とのズレが少なく、フェースアングルの狂いを判定し難いものであることが確認された。
【００５５】
また、長さＬが７０ｍｍ以上である上記比較例２〜４のものは、パターヘッドのフェースＦの長さと同等程度の長さＬとなっているため、ゴルフボールを打つ場合とはかなり異なるイメージとなり、アドレスし難いという問題や、２度打ちになり易いという不具合も認められた。
さらに、長さＬが７０ｍｍである他の中空円筒体の比較例として、外径Ｄが４３ｍｍ、重さが３７グラム及び４９グラムのもので試験した結果、上記の不具合を解消できず、フェースアングルの狂いが１度であるのか２度であるのかを判別し難いものであったり、フェースアングルがスクエアの場合とのズレが少なく、フェースアングルの狂いを判定し難いものであることが確認された。
【００５６】
一方、長さＬが４３ｍｍである他の中空円筒体の比較例として、外径Ｄが４３ｍｍ、重さが３７グラム及び４９グラムのもので試験した結果、やはり安定した転がりを得にくいものであることが確認された。
【００５７】
なお、本発明のゴルフパッティング練習用具１０を構成する材料としては、適度の弾力性と粘着性を有しスピンを生じ難く、パッティングされた後の安定した転がりを得ることができ、かつ、打感がゴルフボールに近く、強度、耐久性、重さ、製造の容易さなどを考慮してＴＰＵを用いたが、同様の物理的特性を有する材料であれば、この材料に限定されるものではない。
【００５８】
さらに、本発明の趣旨を逸脱しない範囲で上記ゴルフパッティング練習用具１０の中空円筒体１、溝２、面取り３、センター表示４，ガイド表示５、突起６、段差７などの各部の形状、配置、本数または寸法などを適宜変更したり、中空円筒体１の厚み、重さ、材質などを適宜変更して実施してもよい。
例えば、溝２の深さ、幅、長さ、本数などを適宜変更して実施してもよい。
【産業上の利用可能性】
【００５９】
本発明は、パターによるパッティング練習を想定した場合に、パターヘッドのフェース面が正しい方向に向いているか否かについて、実際のゴルフボールを打つ場合と同様の手応えで容易に確認することができるゴルフパッティング練習用具として好適に利用可能である。
【符号の説明】
【００６０】
１０  ゴルフパッティング練習用具
１  中空円筒体
２  溝
３  面取り
４  センター表示
５  ガイド表示
６  突起
７  段差
Ｄ  外径
Ｆ  クラブフェース
Ｌ  長さ
Ｍ  割型
Ｐ  パター
Ｓ  スライド型
【図１】
2015047343.tif 000003
【図２】
2015047343.tif 000004
【図３】
2015047343.tif 000005
【図４】
2015047343.tif 000006
【図５】
2015047343.tif 000007
【図６】
2015047343.tif 000008
【図７】
2015047343.tif 000009